(57)【要約】      （修正有）【課題】キャップの上面部と下面部に使用する目的に応じた新たな機能を追加した便利で広範囲に使用する事が出来るペットボトル用キャップを開発・提供する。【解決手段】キャップは内周面に螺着手段が形成され、且つ、内部中心下面部にマグネット等の励磁部材を設けた冠状のキャップ本体と、該キャップ本体上面部に設けた前後・左右所定角度に首振り移動可能なユニバーサルジョイント付クリップとストラップ等のアクセサリー係止穴付板部材から成る。【選択図】図１
0003111589.tif 000002
【実用新案登録請求の範囲】
【請求項１】
ペットボトル口に螺着して使用するペットボトル用キャップであって、該キャップは内周面に螺着手段（１ｄ）が形成され、且つ、内部中心下面部にマグネット等の励磁部材（２）を設けた冠状のキャップ本体（１）と、該キャップ本体（１）上面部に設けた前後・左右所定角度（α）・（β）に首振り移動可能なユニバーサルジョイント（Ｊ）付クリップ（３）とストラップ等のアクセサリー（ＡＣ）係止穴（１ｃ）付板部材（１ｂ）から成る事を特徴とするペットボトル用キャップ（ＣＡ）。
【考案の詳細な説明】
【技術分野】
【０００１】
この考案は、清涼飲料水等が充填されたペットボトルに取り付けられるキャップに関するものである。
【背景技術】
【０００２】
近年、小型ペットボトル（０．５Ｌ）に注入された清涼飲料水等が軽量で携帯に便利であるといった特徴等が評価されて急激に普及し、数多く市販されている。そして、そのペットボトルに使用されているキャップの種類も様々で、キャップを開栓した際に落下しない様に落下防止用の支持リングを付属した物や、キャップの上部を片手で開閉可能にした物や、キャップの上部にストローが差し込める小穴を設けた物や、キャップの下部にカートリッジを設けた物等多種多様の物があり、既に出願され公開に成っている。
【０００３】
又、ペットボトル及びペットボトルのキャップは飲料水等を入れる容器として使用する以外にも一寸した工夫で様々な使い方が出来る。従って、その使用する目的に応じた新たな機能を追加した便利で広範囲に使用する事が出来るペットボトル用キャップの開発が望まれる。
【０００４】
そこで、上記のこれまでに出願されている特許文献を紹介する。（特許文献１〜７参照。）
【特許文献１】登録実用新案第３０１７５３４号
【特許文献２】登録実用新案第３０３６２１４号
【特許文献３】登録実用新案第３０９２６７６号
【特許文献４】実用新案公開平５−０８１０５８
【特許文献５】特許公開２０００−２４７３５３
【特許文献６】特許公開２００１−０５８６５７
【特許文献７】特許公開２００２−１７９１０５
【考案の開示】
【考案が解決しようとする課題】
【０００５】
そこで、上記課題を解決する為に、この考案はキャップの上面部と下面部に使用する目的に応じた新たな機能を追加した便利で広範囲に使用する事が出来るペットボトル用キャップを開発・提供する事にある。
【課題を解決するための手段】
【０００６】
この課題を解決する為の手段として、この考案のキャップは内周面に螺着手段が形成され、且つ、内部中心下面部にマグネット等の励磁部材を設けた冠状のキャップ本体と、該キャップ本体上面部に設けた前後・左右所定角度に首振り移動可能なユニバーサルジョイント付クリップとストラップ等のアクセサリー係止穴付板部材から成るものである。
【考案の効果】
【０００７】
この考案の効果として、内周面に螺着手段が形成され、且つ、内部中心下面部にマグネット等の励磁部材を設けた冠状のキャップ本体と、該キャップ本体上面部に設けた前後・左右所定角度に首振り移動可能なユニバーサルジョイント付クリップとストラップ等のアクセサリー係止穴付板部材から成るキャップを形成しペットボトルに螺着し、ストラップを設ける事でフック等に吊り下げて保管する事が出来、且つ、クリップ部に使用目的に応じた名札や価格表やメモ書き等を記載したケースを簡単に係止する事が出来る。
【０００８】
又、キャップ内部にマグネット等の励磁部材を設ける事で、ペットボトルのみならず
冷蔵庫やスチール棚や車等の金属部に簡単に取り付け可能に成り、メモ書きや通行証や駐車券等を挟むクリップとしても広範囲に使用出来る等、極めて有益なる効果を奏するものである。
【考案を実施するための最良の形態】
【０００９】
この考案の最良の形態として、キャップの大きさ（サイズ）は市販の物に適合したサイズに統一し、且つ、クリップやストラップ係止用穴も一般に市販されている物に適合した形状や大きさに統一する事が望ましい。
【実施例１】
【００１０】
そこで、この考案の一実施例を図１〜図３に基づいて詳述すると、ペットボトル口に螺着して使用するペットボトル用キャップであって、該キャップは内周面に螺着手段（１ｄ）が形成され、且つ、内部中心下面部にマグネット等の励磁部材（２）を設けた冠状のキャップ本体（１）と、該キャップ本体（１）上面部に設けた前後・左右所定角度（α）・（β）に首振り移動可能なユニバーサルジョイント（Ｊ）付クリップ（３）とストラップ等のアクセサリー（ＡＣ）係止穴（１ｃ）付板部材（１ｂ）から成る事を特徴とするペットボトル用キャップ（ＣＡ）から構成される。
【００１１】
次に、この考案の使用方法について説明すると、例えば図４に示す様にペットボトル（ＰＢ）に水を注入して安定させ、本考案のキャップ（ＣＡ）を螺着してクリップ（３）部にメモ書きや写真や各種のカード（ＣＣ）等を挟んで使用する。
【００１２】
又、図５に示す様にキャップ（ＣＡ）の下面部に設けたマグネット等の励磁部材（２）を利用して、冷蔵庫（ＣＢ）等の金属製品に固着して使用する事も出来る。
【００１３】
又、キャップ（ＣＡ）上面部のクリップ（３）は、ユニバーサルジョイント（Ｊ）の凹部（１ａ）（球面軸受け部）にＵ字形状の切り欠き部（１ａ'）を設けた事で、前後方向が前２５度・後２５度で約５０度の首振りが可能で、左右方向が左９０度・右２５度で約１１５度の所定角度程度の首振りが可能であり、使用目的に応じて自由自在に角度を変えて使用する事が出来る。
【００１４】
更に、キャップの上面部の係止穴（１ｃ）部にストラップ等のアクセサリー（ＡＣ）を取り付け、ペットボトルに螺着すれば何処にでもぶら下げる事が出来る。
【実施例２】
【００１５】
その他の事例１として、図６（Ａ）に示す様にユニバーサルジョイント部の凹部（球面軸受け部）と凸部（球面軸部）を実施例１と逆にして形成しても良い。
【００１６】
又、その他の事例２として、図６（Ｂ）に示す様にユニバーサルジョイント部の凸部（球面軸部）にアクセサリー（ＡＣ）係止用の穴を設けて、クリップ（３）を係止する時とアクセサリー（ＡＣ）を係止する時を使い分けて使用しても良い。
【産業上の利用可能性】
【００１７】
この考案のペットボトル用キャップは、ペットボトルに螺着し、ストラップを設ける事でフック等に吊り下げて保管する事が出来、且つ、クリップ部に使用目的に応じた名札や価格表やメモ書き等を記載したケースを簡単に係止する事が出来、又、キャップ内部にマグネット等の励磁部材を設ける事で、ペットボトルのみならず冷蔵庫やスチール棚等の金属部に簡単に取り付け可能に成り、メモ書きや駐車券等を挟むクリップとしても使用出来る事で多くの市場に寄与する点で産業上の利用可能性を有する。
【図面の簡単な説明】
【００１８】
【図１】この考案の一実施例を示し、（Ａ）は平面図で、（Ｂ）は正面図である。
【図２】この考案の一実施例を示し、右側面図である。
【図３】この考案の一実施例を示し、左側面図である。
【図４】この考案の使用例を示し、ペットボトルに螺着し、クリップ部にカードを取り付け時の正面図である。
【図５】この考案の使用例を示し、冷蔵庫のドア部に固着し、クリップ部にカードを取り付け時の正面図である。
【図６】この考案のその他の実施例を示し、（Ａ）はユニバーサルジョイントの凹部（球面軸受け部）と凸部（球面軸部）を逆向きに形成時の正面図で、（Ｂ）はユニバーサルジョイントの球面軸部にアクセサリー係止穴を設けた時の正面図である。ある。
【符号の説明】
【００１９】
１  キャップ本体
１ａ  ユニバーサルジョイントの凹部（球面軸受け部）
１ａ’  Ｕ字形状の切り欠き部
１ｂ  板部材
１ｃ  アクセサリー係止穴
１ｄ  螺着手段
２  励磁部材
３  クリップ
３ａ  ユニバーサルジョイントの凸部（球面軸部）
ＡＣ  アクセサリー
ＣＡ  ペットボトル用キャップ
ＣＡ’１  ペットボトル用キャップ（ユニバーサルジョイント逆向き型）
ＣＡ’２  ペットボトル用キャップ（アクセサリー係止穴付球面軸部）
ＣＢ  冷蔵庫
ＣＣ  カード
Ｊ  ユニバーサルジョイント
ＰＢ  ペットボトル
α  所定角度
β  所定角度
【図１】
0003111589.tif 000003
【図２】
0003111589.tif 000004
【図３】
0003111589.tif 000005
【図４】
0003111589.tif 000006
【図５】
0003111589.tif 000007
【図６】
0003111589.tif 000008